(57)【特許請求の範囲】
【請求項１】
本撮影前にライブビュー画像を取得し、本撮影の状態にて記録媒体に記録する記録画像を取得する撮像素子と、
長時間露光撮影の本撮影前に、前記撮像素子により取得するライブビュー画像の露光時間が、本撮影の状態にて同一に制御する露光制御手段と、
前記撮像素子の受光面に光学像を結像する撮影光学系と、
ファインダの接眼部に被写体像を導くファインダ光学系と、
前記撮像素子により得られたライブビュー画像をファインダ用に表示する表示手段と、
前記接眼部から視認されるファインダ画像として、ファインダ光学系により導かれた光学像と、前記表示手段により表示されたライブビュー画像と、が切り替え可能なファインダ像切替手段と、
長時間露光撮影の状態にて本撮影前には、前記ファインダ像切替手段によりファインダから視認されるファインダ像を、前記ファインダ光学系により導かれる光学像と、前記撮像素子により得られる長時間露光のライブビュー画像と、を交互に切り替えるファインダ表示制御手段と、
を備える撮像装置。
【請求項２】
請求項１に記載の撮像装置において、
前記ファインダ像切替手段は、前記ファインダ光学系により導かれた光学像と、前記表示手段により表示されたライブビュー画像と、のうちの何れか一方のみの被写体像と、両方を重畳させた被写体像と、が切り替え可能であり、
前記ファインダ表示制御手段は、前記ファインダ光学系により導かれる光学像と、前記撮像素子により得られる長時間露光のライブビュー画像と、の両方を重畳させた被写体像に切り替える撮像装置。
【請求項３】
前記撮像素子から得られた最新の被写体像と前回の被写体像との差を検出する被写体変化検出手段を備え、
前記ファインダ表示制御手段は、前記被写体変化検出手段により被写体変化が検出された状態にて、前記ファインダ像切替手段によりファインダから視認される被写体像を、前記ファインダ光学系により結像された被写体像に切り替える請求項１又は２に記載の撮像装置。
【請求項４】
前記被写体変化検出手段は、前記撮像素子から得られた最新の被写体像と前回の被写体像との差の大きさを示す差分値が予め設定された閾値を越えたか否かを判断する請求項３に記載の撮像装置。
【請求項５】
前記被写体変化検出手段は、加速度センサである請求項３に記載の撮像装置。
【請求項６】
前記長時間露光撮影は、１秒以上である請求項１から５の何れか１項に記載の撮像装置。
【発明の詳細な説明】
【技術分野】
【０００１】
本発明は、撮像装置に関し、特に光学式ビューファインダと電子式ビューファインダとを備えそれらが切替可能な撮像装置に関する。
【背景技術】
【０００２】
デジタルカメラ（撮像装置）の技術分野ではこれまで、撮影レンズ及び撮像素子等の撮影光学系により取得した被写体の電子像をカメラ本体の背面に設けた液晶モニタに表示して構図や合焦状態の確認を行うものが一般的であったが、近年、背面の液晶モニタとは別に構図や合焦状態確認のためのファインダを設けた機種が普及しつつある。このようなファインダの方式には光学式ビューファインダ（ＯＶＦ：Optical View Finder、以下ＯＶＦ）と電子式ビューファインダ（ＥＶＦ：Electronic View Finder、以下ＥＶＦ）とがあり、それぞれ長所と短所を有する。【０００３】
具体的にはＯＶＦでは「表示に応答遅れがない」、「表示画像が鮮明である」、「（方式により）撮影範囲外が見えることで構図を決めやすい」等、ＥＶＦに対し一定の優位性がある。一方ＥＶＦはＯＶＦに対し、「再生画像やメニューの表示（重畳表示を含む）が可能である」等、使用上の優位点がある。したがってＯＶＦとＥＶＦとの双方を備えるデジタルカメラ（撮像装置）においては、状況に応じて適宜ＯＶＦとＥＶＦとを切り替えられるようにすることが好ましい。【０００４】
ファインダ方式を切り替えられるようにした撮像装置として、例えば特許文献１に記載の技術が知られている。特許文献１に記載の技術ではＯＶＦ（可動ミラーを光路に挿入してファインダ接眼部で被写体の光学像を視認）と、ライブビューモード（撮像素子で生成されたリアルタイムの画像を表示部に表示させるモード）が可能なＥＶＦ（可動ミラーを光路から対比させて、撮像素子で取得した被写体の電子像を液晶モニタで視認）とを切替可能なデジタル一眼レフカメラにおいて、ユーザによる各種操作に基づいてＯＶＦとＥＶＦとの切替を行うようにしている。【０００５】
またファインダ方式を自動的に切り替えられるようにした撮像装置として、例えば特許文献２に記載の技術が知られている。特許文献２に記載の技術では、バッテリ残量や撮影シーン中の明暗差、被写体距離等の条件を判定する撮影条件判定手段を設け判定の結果に基づいてＯＶＦとＥＶＦとを自動的に切り替えるようにしている。
【先行技術文献】
【特許文献】
【０００６】
【特許文献１】特開２００９−３０３２５８号公報
【特許文献２】特開２００４−  ８５９３５号公報
【発明の概要】
【発明が解決しようとする課題】
【０００７】
しかしながら、ＯＶＦとＥＶＦとを切り替えられる特許文献１，２のような撮像装置で長時間露光撮影を行う場合、本撮影前にファインダ接眼部で被写体像を視認する際に、ＯＶＦとＥＶＦとの切り替えるだけでは長時間露光の被写体像を確認することはできない。また、長時間露光撮影では、撮像装置が長時間に徐々に傾いてしまった場合などの微妙な変化により好適な記録画像が得られないことがある。【０００８】
本発明はこのような事情に鑑みてなされたもので、光学式ビューファインダと電子式ビューファインダとの切り替えを行うことができる撮像装置において、長時間露光撮影の本撮影前に、ファインダ接眼部で長時間露光の被写体像を確認することができ、また、撮像装置が長時間に徐々に傾いてしまった場合などの微妙な変化を認識することができる撮像装置を提供することを目的とする。
【課題を解決するための手段】
【０００９】
上記目的を達成するために、本発明の撮像装置は、本撮影前にライブビュー画像を取得し、本撮影の状態にて記録媒体に記録する記録画像を取得する撮像素子と、長時間露光撮影の本撮影前に、撮像素子により取得するライブビュー画像の露光時間が、本撮影の状態にて同一に制御する露光制御手段と、撮像素子の受光面に光学像を結像する撮影光学系と、ファインダの接眼部に被写体像を導くファインダ光学系と、撮像素子により得られたライブビュー画像をファインダ用に表示する表示手段と、接眼部から視認されるファインダ画像として、ファインダ光学系により導かれた光学像と、表示手段により表示されたライブビュー画像と、が切り替え可能なファインダ像切替手段と、長時間露光撮影の状態にて本撮影前には、ファインダ像切替手段によりファインダから視認されるファインダ像を、ファインダ光学系により導かれる光学像と、撮像素子により得られる長時間露光のライブビュー画像と、を交互に切り替えるファインダ表示制御手段と、を備えている。なお、「ライブビュー画像」とは、撮影者がシャッタボタンを押して撮影や記録をする前に、画角や被写体などを確認できるように、撮像素子から出力された画像を記録メディア等に記録せず（ＲＡＭへ一時記録）に、画像表示部に表示ライブビュー画像像をいうものである。【００１０】
本発明では、撮像素子により取得するライブビュー画像の露光時間が本撮影の状態と同一に制御して、このライブビュー画像をファインダの接眼部から確認できるようにした。これにより、本撮影の状態での記録画像がどのようになるかを長時間露光撮影の本撮影前にファインダの接眼部から確認することができるようになる。【００１１】
しかしながら、これだけでは、撮像装置が長時間に徐々に傾いてしまった場合などの微妙な変化（微妙な画角ズレ）に気付き難い。【００１２】
そこで、本発明では、更に、ファインダ光学系により導かれる光学像と、撮像素子により得られる長時間露光のライブビュー画像と、を交互に切り替えるようにした。【００１３】
これにより、長露光中に徐々にカメラが傾いてしまった場合などの微妙な変化について認識し易くなるので、長露光の撮影が行い易くなる。【００１４】
また、本発明の撮像装置は、ファインダ像切替手段は、ファインダ光学系により導かれた光学像と、表示手段により表示されたライブビュー画像と、のうちの何れか一方のみの被写体像と、両方を重畳させた被写体像と、が切り替え可能であり、ファインダ表示制御手段は、ファインダ光学系により導かれる光学像と、撮像素子により得られる長時間露光のライブビュー画像と、の両方を重畳させた被写体像に切り替えるようにしてもよい。【００１５】
本発明では、撮像素子により取得するライブビュー画像の露光時間が本撮影の状態と同一に制御して、このライブビュー画像をファインダの接眼部から確認できるようにした。これにより、本撮影の状態での記録画像がどのようになるかを長時間露光撮影の本撮影前にファインダの接眼部から確認することができるようになる。【００１６】
しかしながら、ライブビュー画像をファインダの接眼部から確認できるだけでは、その間に被写体像に大きな動きがあった場合には確認することができない。【００１７】
そこで、本発明では、長時間露光撮影の本撮影前には、ファインダ光学系により導かれる光学像と、長時間露光のライブビュー画像と、の両方を重畳させた被写体像に切り替えるようにした。【００１８】
長時間露光のライブビュー画像とＯＶＦを重ねることで、長露光のライブビュー画像とその時の被写体像の様子を同時にファインダの接眼部から確認することが可能になるので、長露光の撮影が行い易くなる。【００１９】
上記発明において、撮像素子から得られた最新の被写体像と前回の被写体像との差を検出する被写体変化検出手段を備え、ファインダ表示制御手段は、被写体変化検出手段により被写体変化が検出された状態にて、ファインダ像切替手段によりファインダから視認される被写体像を、ファインダ光学系により結像された被写体像に切り替えることが好ましい。【００２０】
これにより、撮像装置が微妙に傾いていたり被写体像に大きな動きがあったことを撮影者に気づかせることができる。また、ＯＶＦで被写体像の情報を直接確認できるようになる。【００２１】
被写体変化検出手段は、撮像素子から得られた最新の被写体像と前回の被写体像との差の大きさを示す差分値が予め設定された閾値を越えたか否かを判断することが好ましい。又は、被写体変化検出手段は、加速度センサであることが好ましい。【００２２】
被写体変化検出手段が撮像素子から得られた最新の被写体像と前回の被写体像との差の大きさを示す差分値が予め設定された閾値を越えたか否かを判断することで、撮像装置が微妙に傾いていたり被写体像に大きな動きがあったことを撮影者に気付かせることができる。【００２３】
また、被写体変化検出手段が加速度センサであることで、撮像装置が微妙に傾いていることを撮影者に気づかせつつ、ＯＶＦで被写体の情報を直接確認できるようになる。【００２４】
上記発明において、長時間露光撮影は、１秒以上であることが好ましい。
【発明の効果】
【００２５】
本発明によれば、長時間露光撮影の本撮影前に、ファインダ接眼部で長時間露光の被写体像を確認することができ、また、撮像装置が長時間に徐々に傾いてしまった場合などの微妙な変化を認識することができる。
【図面の簡単な説明】
【００２６】
【図１】本発明に係る撮像装置の一実施態様を示すブロック図である。
【図２】本発明の一実施態様を示す説明図である。
【図３】ＯＶＦとＥＶＦの光学系を示すブロック図である。
【図４】本発明に係る撮像装置の他の一実施態様を示す概略図である。
【発明を実施するための形態】
【００２７】
以下、添付図面を参照しながら、本発明を実施するための形態を詳細に説明する。ここで、図中、同一の記号で示される部分は、同様の機能を有する同様の要素である。
【００２８】
＜撮像装置の全体構成＞
本発明に係る撮像装置の全体構成について図面を参照して説明する。図１は、本発明に係る撮像装置の一実施形態を示すブロック図である。
【００２９】
図１に示すように、撮像装置１は、撮影した静止画や動画をメモリカード１０に記録するデジタルカメラであり、カメラ全体の動作は、中央処理装置（ＣＰＵ）１２によって統括制御されている。
【００３０】
撮像装置１の操作部１４は、電源スイッチ、シャッタボタン、光学ファインダモード、電子ビューファインダモード、光学-電子重畳ファインダモード、マクロモード、静止画撮影モード、動画撮影モード、再生モード、自動焦点調節（ＡＦモード）、手動焦点調節（ＭＦモード）等を切り替えるためのモード切替スイッチ、ズームやコマ送り等の各種の指令信号を出力するマルチファンクションの十字キー等を含む。この操作部１４からの各種の操作信号は、ＣＰＵ１２に加えられるようになっている。
【００３１】
撮影モードが設定されると、被写体を示す画像光は、手動操作により移動可能なフォーカスレンズ、撮像レンズを含む撮影光学系１６及び絞り１８を介して撮像素子（ＣＣＤ）２０の受光面に結像される。ＣＣＤ２０に蓄積された信号電荷は、ＣＣＤドライバ２２から加えられる転送パルスによって信号電荷に応じた電圧信号として順次読み出される。尚、ＣＣＤ２０は、シャッタゲートパルスのタイミングによって各フォトセンサの電荷蓄積時間（シャッタスピード）を制御する、いわゆる電子シャッタ機能を有している。
【００３２】
このＣＣＤ２０から順次読み出された電圧信号は、アナログ処理部２４に加えられる。アナログ処理部２４は、サンプリングホールド回路、色分離回路、ゲイン調整回路等の信号処理回路を含み、相関二重サンプリング（ＣＤＳ）処理並びにＲ，Ｇ，Ｂの各色信号に色分離処理され、各色信号の信号レベルの調整（プリホワイトバランス処理）が行われる。アナログ処理部２４から出力された信号は、Ａ／Ｄ変換器２６によりデジタル信号（以下「CCDRAWデータ」という）に変換された後、ＳＤＲＡＭなどの一時記憶装置２８に記憶される。
【００３３】
一時記憶装置２８は、複数枚分のCCDRAWデータを一時記憶可能な記憶容量を有している。尚、一時記憶装置２８の記憶容量はこれに限定されない。また、タイミングジェネレータ（ＴＧ）３０は、ＣＰＵ１２の指令に従ってＣＣＤドライバ２２、アナログ処理部２４及びＡ／Ｄ変換器２６に対してタイミング信号を与えており、このタイミング信号によって各回路の同期が取られている。
【００３４】
ＲＯＭ３２には、予めプログラムや調整値などが記憶されており、これらのプログラムや調整値は適宜読み出される。
【００３５】
信号処理部３４は、Ｒ、Ｇ、Ｂ信号のゲインを調整してホワイトバランス（ＷＢ）補正を行うＷＢゲイン部と、ＷＢ補正された各Ｒ、Ｇ、Ｂ信号に対して所定のガンマ特性が記憶されたＲＯＭテーブルに従ってガンマ補正するガンマ補正部と、ＣＣＤ２０のカラーフィルタ配列に対応した色補間処理を行う色補間処理部と、輝度データＹ及び色差データＣｒ、Ｃｂの生成処理（ＹＣ変換）を行うＹＣ処理部と、輝度データＹにアパーチャ信号を付加して輪郭強調を行う輪郭強調部と、平滑化処理、メディアンフィルタ処理などのノイズ低減処理を行うノイズ低減処理部と、色差データＣｒ、Ｃｂのゲインを増減する彩度強調部とを有しており、一時記憶装置２８に記憶されたCCDRAWデータに対して各処理部で順次信号処理を行う。
【００３６】
信号処理部３４で処理された画像データは、ビデオエンコーダ３８においてエンコーディングされ、表示手段の一態様である表示装置である小型の液晶表示部（ＬＣＤ）４０に出力され、これにより被写体像がＬＣＤ４０の表示画面上に表示される。
【００３７】
尚、撮影準備段階では、ＣＣＤ２０により所定のインターバルで連続撮影された画像が、画像表示用の処理がされた後、ＬＣＤ４０に出力され、ライブビュー画像として表示される。
【００３８】
一方、シャッタボタンの全押し時には、撮影光学系１６及びＣＣＤ２０を介して撮影され、一時記憶装置２８に記憶されたCCDRAWデータは、信号処理部３４で各種の信号処理が施されてＹＣデータに変換され、その後、ＹＣデータは圧縮伸長処理部３６に出力され、JPEG（Joint Photographic Experts Group）などの所定の圧縮処理が実行される。そして、圧縮処理された圧縮データは、メディアコントローラ４２及びカードインタフェース４４を介してメモリカード１０に記録される。
【００３９】
自動露出（ＡＥ）検出部３７は、例えば、画像全体のＧ信号を積算し、又は画面中央部と周辺部とで異なる重み付けをしたＧ信号を積算し、その積算値をＣＰＵ１２に出力する。ＣＰＵ１２は、ＡＥ検出部３７から入力する積算値より被写体の明るさ（撮影Ｅｖ値）を算出し、この撮影Ｅｖ値に基づいて絞り１８のＦ値及びＣＣＤ２０の電子シャッタ（シャッタスピード）を所定のプログラム線図に従って決定し、その決定したＦ値に基づいて絞り１８を制御するとともに、決定したシャッタスピードに基づいてＣＣＤドライバ２２を介してＣＣＤ２０での電荷蓄積時間を制御する。
【００４０】
また、ピントずれ量算出部４６は、位相差画素を含むＣＣＤ２０の位相差画素から得られる視差画像のうちの所定のフォーカスエリア内の視差画像の位相差を検出し、この位相差を示す情報に基づいてピントずれ量（デフォーカス量）を求める。尚、位相差画素を含むＣＣＤ２０の代わりに、セパレータレンズ、該セパレータレンズにより分離した２つの像の結像位置を検出するセンサ等を含む公知の位相差センサ等の出力信号に基づいてピントずれ量を検出するようにしてもよい。
【００４１】
このピントずれ量算出部４６により算出されるピントずれ量は、ＡＦモード時にピントずれ量が０になるように撮影光学系１６のフォーカスレンズを制御するために使用することができるとともに、後述するようにＭＦモード時にＬＣＤ４０上のライブビュー画像の表示制御に使用される。
【００４２】
また、撮影光学系１６のフォーカスレンズ位置は、位置センサ４８により検出され、ＣＰＵ１２に送られる。ＣＰＵ１２は、位置センサ４８の検出出力に基づいて現在のフォーカスレンズの位置によりピントが合う被写体の距離を求める。尚、フォーカスレンズの位置とその位置に対応する被写体距離とは予めＲＯＭ３２等に記憶されており、ＣＰＵ１２は、このＲＯＭ３２からフォーカスレンズの位置に対応する被写体距離を読み出す。また、被写体距離の測定は、基線長三角測距センサ等により行うようにしてもよい。このようにして測距された被写体距離は、ＡＦモード時に撮影光学系１６のフォーカスレンズを制御するために使用することができるとともに、後述するようにＭＦモード時にＬＣＤ４０上のライブビュー画像の表示制御に使用される。前記位置センサ４８は、撮影光学系１６の変倍レンズの位置（ズーム位置）も検出し、そのズーム位置の情報をＣＰＵ１２に出力する。
【００４３】
更に、この撮像装置１は、対物レンズ５０と、接眼レンズ５２と、液晶シャッタ６４とを有する光学ファインダ（ＯＶＦ）を備えている。この液晶シャッタ６４は、ＣＰＵ１２によって制御され、光学ファインダを使用する場合には透過状態になる。これにより、被写体の光学像は、液晶シャッタ６４を透過し、対物レンズ５０を通して接眼レンズ５２により観察可能になる。
【００４４】
対物レンズ５０と接眼レンズ５２との間には、ビームスプリッタ５４が設けられており、このビームスプリッタ５４は、対物レンズ５０に入射する被写体の光学像と、ＬＣＤ４０に表示されるライブビュー画像とを合成する手段として使用される。即ち、対物レンズ５０に入射する光学像は、ビームスプリッタ５４を透過して接眼レンズ５２により観察することができ、また、ＬＣＤ４０に表示されるライブビュー画像は、ビームスプリッタ５４により直角に反射され接眼レンズ５２により観察することができる。
【００４５】
前記ＬＣＤ４０、ビームスプリッタ５４及び接眼レンズ５２によりライブビュー画像を観察することができる電子ビューファインダ（ＥＶＦ）が構成される。ここで、液晶シャッタ６４を遮光状態にすることにより、接眼レンズ５２からはＬＣＤ４０からの画像のみ観察可能にすることができる。また、液晶シャッタ６４を透過状態にすることにより、ＬＣＤ４０のライブビュー画像と対物レンズ５０を透過した光学像との重畳表示も可能になる。
【００４６】
即ち、この撮像装置１は、ＯＶＦの光学像表示、ＥＶＦの画像表示、ＯＶＦとＥＶＦの画像の重畳表示との切り替えを可能にするハイブリッドファインダを備えている。即ち、ファインダ像切替手段を備えている。
【００４７】
撮影光学系１６の光軸とＯＶＦの光軸とは異なるため、所定のフォーカスエリアの光学像とライブビュー画像とは、そのフォーカスエリア内の被写体の距離に応じてパララックスが発生する。ＣＰＵ１２は、前記求めた被写体距離に応じて発生するパララックスを補正すべくＬＣＤ４０に表示させるライブビュー画像の表示位置を移動させる。これにより、フォーカスエリア内の光学像とライブビュー画像とが一致するように表示させることができる。
【００４８】
＜第１の実施形態＞
本発明の第１の実施形態について図面を参照して説明する。
【００４９】
図１に示すように、本発明に係る撮像装置１は、露光制御手段６０とファインダ表示制御手段６２とを備える。
【００５０】
本発明では、長時間露光撮影の本撮影前には、露光制御手段６０により、ＣＣＤ（撮像素子）２０により取得するライブビュー画像の露光時間が本撮影の状態と同一に制御する。即ち、ＣＣＤ２０により取得するライブビュー画像の露光時間が本撮影の状態と同一に制御することで、このライブビュー画像をファインダの接眼レンズ（接眼部）５２から確認できるようになる。これにより、本撮影時での記録画像がどのようになるかを長時間露光撮影の本撮影前にファインダの接眼レンズ５２から確認することができるようになる。
【００５１】
しかし、ライブビュー画像の露光時間が本撮影の状態と同一に制御しただけでは、撮像装置１が長時間に徐々に傾いてしまった場合などの微妙な変化（微妙な画角ズレ）に気付き難い。
【００５２】
そこで、本発明では、更に、ファインダ表示制御手段６２により、ファインダ光学系により導かれる光学像（ＯＶＦの光学像表示）と、ＣＣＤ２０により得られる長時間露光のライブビュー画像（ＥＶＦの画像表示）と、を交互に切り替えるようにする。
【００５３】
図２は、ＯＶＦとＥＶＦの切り替え制御を説明するための説明図である。
【００５４】
露光制御手段６０により、本撮影時のシャッタスピードの時間ＳだけＣＣＤドライバ２２を介してＣＣＤ２０で電荷蓄積する。そして、アナログ処理部２４、Ａ／Ｄ変換器２６を介して、長時間露光のライブビュー画像がＬＣＤ４０に表示される。ＬＥＤ４０にライブビュー画像が表示されている間は、ファインダ表示制御手段６２により、液晶シャッタ６４を遮光状態にする。これにより、ＬＣＤ４０に表示されたライブビュー画像は接眼レンズ５２からはＬＣＤ４０から認識することができる。
【００５５】
そして、ライブビュー画像は露光時間の周期で表示させることが好ましい。ファインダ表示制御手段６２により、ＯＶＦの光学像表示と、ＥＶＦの画像表示と、をライブビュー画像の露光時間の周期Ｓで交互に切り替えるようにする。例えば、１０秒露光であれば、図２に示すように、ＯＶＦ表示から１０秒毎にＥＶＦの長露光ライブビュー画像の表示とＯＶＦの光学像表示との交互の画像に切り替える。例えば、ＥＶＦの長露光ライブビュー画像の表示は１秒表示し、ＯＶＦの光学像表示は９秒表示とし、この切り替えを繰り返すようにする。
【００５６】
これにより、長時間露光撮影の本撮影前に徐々に撮像装置が傾いてしまった場合などの微妙な変化について認識し易くなるので、長露光の撮影が行い易くなる。
【００５７】
なお、本明細書において、長時間露光撮影とは、シャッタスピードが１秒以上であることをいう。
【００５８】
＜第２の実施形態＞
本発明の第２の実施形態について図面を参照して説明する。
【００５９】
図１に示すように、本発明に係る撮像装置１は、露光制御手段６０とファインダ表示制御手段６２とを備える。
【００６０】
本発明では、第１の実施形態と同様に、長時間露光撮影の本撮影前には、露光制御手段６０により、ＣＣＤ（撮像素子）２０により取得するライブビュー画像の露光時間が本撮影の状態と同一に制御する。即ち、ＣＣＤ２０により取得するライブビュー画像の露光時間が本撮影の状態と同一に制御することで、このライブビュー画像をファインダの接眼レンズ（接眼部）５２から確認できるようになる。これにより、本撮影の状態で記録画像がどのようになるかを長時間露光撮影の本撮影前にファインダの接眼レンズ５２から確認することができるようになる。
【００６１】
しかし、ライブビュー画像の露光時間が本撮影の状態と同一に制御しただけでは、その間に被写体像に大きな動きがあった場合には確認することができない。
【００６２】
そこで、本発明では、更に、ファインダ表示制御手段６２により、長時間露光撮影時の本撮影前には、ファインダ光学系により導かれる光学像と、長時間露光のライブビュー画像と、の両方を重畳させた被写体像に切り替えるようにした。
【００６３】
露光制御手段６０により、本撮影時のシャッタスピードの時間ＳだけＣＣＤドライバ２２を介してＣＣＤ２０で電荷蓄積する。そして、アナログ処理部２４、Ａ／Ｄ変換器２６を介して、長時間露光のライブビュー画像がＬＣＤ４０に表示される。ＬＥＤ４０にライブビュー画像が表示されている間も、ファインダ表示制御手段６２により、液晶シャッタ６４を透過状態にする。これにより、ＬＣＤ４０に表示されたライブビュー画像とＯＶＦの光学像との両方を重畳させた被写体像を接眼レンズ５２から認識することができる。
【００６４】
このように、長時間露光のライブビュー画像とＯＶＦを重ねることで、長露光のライブビュー画像とその時の被写体像の様子を同時にファインダの接眼部から確認することが可能になるので、長露光の撮影が行い易くなる。
【００６５】
＜第３の実施形態＞
図３に示すように、上記第１及び第２の実施形態において、被写体変化検出手段６６を備えている。なお、図３は、図１のＥＶＦ光学系９０とＯＶＦ光学系９２とを抜粋して記載したものであり、図１において更に被写体変化検出手段６６を備えたものである。
【００６６】
前記の通り、長時間露光撮影の本撮影前には、露光制御手段６０によりＣＣＤ（撮像素子）２０により取得するライブビュー画像の露光時間が本撮影の状態と同一に制御されている。ＣＣＤ２０から得られる被写体像は露光時間毎に更新される。
【００６７】
したがって、被写体変化検出手段６６を更に備えて最新の被写体像と前回の被写体像との差を検出することで、撮像装置１が微妙に傾いていたり被写体像に大きな動きがあったことを検出することができる。
【００６８】
そして、被写体変化検出手段６６により被写体変化が検出されたときには、ファインダから視認される被写体像をＯＶＦ光学系９２の被写体像のみに切り替えるようにする。
【００６９】
これにより、撮像装置が微妙に傾いていたり被写体像に大きな動きがあったことを撮影者に気づかせることができる。また、ＯＶＦ光学系９２で被写体像の情報を直接確認できるようになる。
【００７０】
ここで、被写体変化検出手段６６は、撮像素子から得られた最新の被写体像と前回の被写体像との差の大きさを示す差分値が予め設定された閾値を越えたか否かを判断することが好ましい。
【００７１】
被写体変化検出手段が前記撮像素子から得られた最新の被写体像と前回の被写体像との差の大きさを示す差分値が予め設定された閾値を越えたか否かを判断することで、撮像装置が微妙に傾いていたり被写体像に大きな動きがあったことを撮影者に気付かせることができる。
【００７２】
また、被写体変化検出手段が加速度センサであることで、撮像装置が微妙に傾いていることを撮影者に気づかせつつ、ＯＶＦで被写体の情報を直接確認できるようになる。
【００７３】
なお、被写体変化検出手段６６としては、加速度センサであってもよい（不図示）。加速度センサは、撮影光学系１６においてシフト補正機能を有する撮像装置に備えられている。撮像装置に備えられている加速度センサを用いて撮像装置が微妙に傾いているのを検出し、傾いているのを検出されたときにはファインダから視認される被写体像をＯＶＦ光学系９２の被写体像のみに切り替えるようにすることでも、撮像装置が微妙に傾いていることを撮影者に気づかせつつ、ＯＶＦで被写体の情報を直接確認できるようになる。
【００７４】
［その他］
図１に示した撮像装置１は、ＯＶＦの光軸が撮影光学系１６の光軸と異なるものが適用されているが、図４に示すように、ＯＶＦの光軸が撮影光学系８０と同一の光軸を有する一眼レフレックス式ファインダにも本発明は適用できる。なお、図４は、撮影光学系８０に入射する被写体光が、半透明のクイックリターンミラー８２を介してＣＣＤ８２に入射するとともに、その一部がクイックリターンミラー８２で反射されてピント板８６に入射する。このピント板８６上に導かれた光学像は、接眼レンズ８８及びペンタプリズム７０を介して確認できるようになっている。そして、ピント板８６の上には、透過型のＬＣＤ７２が配設されており、ＣＣＤ８４により撮影されるライブビュー画像が表示される。このライブビュー画像は、上記光学像と同様に接眼レンズ８８及びペンタプリズム７０を介して確認でき、これによりハイブリッドファインダが構成されている。
【００７５】
本発明は上述した実施の形態に限定されず、本発明の要旨を逸脱しない範囲において、各種の設計変更や改良を行ってよいのはもちろんである。
【符号の説明】
【００７６】
１…撮影装置、１０…メモリカード、１２…中央処理装置（ＣＰＵ）、１４…操作部、１６、６０…撮影光学系、１８…絞り、２０、８４…撮像素子（ＣＣＤ）、３２…ＲＯＭ、３４…信号処理部、３７…ＡＥ検出部、４０、７２…液晶表示器（ＬＣＤ）、４６…ピントずれ量算出部、５０…対物レンズ、５２、８８…接眼レンズ、５４…ビームスプリッタ、６０…露光制御手段、６２…ファインダ表示制御手段、６４…液晶シャッタ、６６…被写体変化検出手段、７０…ペンタプリズム、８２…クイックリターンミラー、８６…ピント板
【図１】
0005635211.tif 000002
【図２】
0005635211.tif 000003
【図３】
0005635211.tif 000004
【図４】
0005635211.tif 000005